(57)【要約】【課題】  台紙の前方に張り出す表示体を、台紙上部に容易に設ける。【解決手段】  複数の商品Ｍを陳列して吊下げる商品陳列用の台紙１に、表示面Ｓを備えた表示体２が台紙前方に張り出す状態で設けられている商品陳列用台紙の表示構造であって、表示体２が、台紙１の上部を台紙上下方向に折り曲げることで、左右端部が開口している筒状に形成されているとともに、表示体２を形成する台紙１の折り曲げ箇所４Ａに切込みを入れて突出片１Ａを形成し、その突出片１Ａと表示体２を形成する台紙１の遊端１Ｂとを重合させた状態で、台紙１と連結して吊下げるための吊下げ部材３の連結手段３Ａにより固定する。【選択図】        図２
2005110863.tif 000002
【特許請求の範囲】
【請求項１】
複数の商品を陳列して吊下げる商品陳列用の台紙に、表示面を備えた表示体が台紙前方に張り出す状態で設けられている商品陳列用台紙の表示構造であって、
前記表示体が、前記台紙の上部に設けられている商品陳列用台紙の表示構造。
【請求項２】
前記表示体が、前記台紙の上部を折り曲げることで筒状に形成されているとともに、
前記表示体を形成する台紙の折り曲げ箇所に突出片を形成し、その突出片と表示体を形成する台紙の遊端とを重合させた状態で、台紙と連結して吊下げるための吊下げ部材の連結手段によって固定している請求項１記載の商品陳列用台紙の表示構造。
【請求項３】
前記表示体が、前記台紙とは別の部材から形成されているとともに、
前記表示体の両遊端と台紙の上端部とを重合させた状態で、台紙と連結して吊下げるための吊下げ部材の両端に設けられている連結手段によって固定している請求項１記載の商品陳列用台紙の表示構造。
【請求項４】
前記表示体の上面を形成する上側面状部に、前記吊下げ部材を挿通させる第１挿通孔が少なくとも１つ形成されている請求項１〜３のいずれか１項に記載の商品陳列用台紙の表示構造。
【請求項５】
前記第１挿通孔が、表示体に切起表示部を切り起こし形成することよって現出した孔である請求項４記載の商品陳列用台紙の表示構造。
【請求項６】
前記吊下げ部材の連結手段が、雄側挟持片と雌側挟持片とからなる二股の挟持部であるとともに、
前記表示体の後面を形成する後側面状部に、前記挟持部の雄側挟持片又は雌側挟持片を挿通させる第２挿通孔が少なくとも１つ形成されている請求項１〜５のいずれか１項に記載の商品陳列用台紙の表示構造。
【発明の詳細な説明】
【技術分野】
【０００１】
本発明は、複数の商品を陳列して吊下げる商品陳列用の台紙に、表示面を備えた表示体が台紙前方に張り出す状態で設けられている商品陳列用台紙の表示構造に関する。
【背景技術】
【０００２】
従来の商品陳列用台紙の表示構造は、図７及び図８に示すように、台紙１０１の下部を折り曲げて台紙前方に張り出す中空の角柱状で前面に表示面Ｓを備えた表示体１０２を形成し、表示面Ｓが台紙１０１よりも前方に張り出していることによりその表示面Ｓに記載された商品Ｍの宣伝効果を高上させるためのもので、台紙１０１の上下方向に並ぶ４箇所の折り曲げ線１０３を折り曲げて、表示体１０２の前側面状部Ｓ、後側面状部１０２Ｂ、上側面状部１０２Ｃ、下側面状部１０２Ｄ及び糊代部１０２Ｅを形成して台紙１０１の背面と糊代部１０２Ｅとを接着固定し、そして、上側面状部１０２Ｃ及び下側面状部１０２Ｄそれぞれの左右方向の両側に突出して形成されている４つの内側フラップ部１０４、及び、後側面状部１０２Ｂの左右方向の両側に突出して形成されている左右側面状部１０２Ｆ，１０２Ｇを折り曲げて、左右端部が閉口している表示体１０２を形成していた。（例えば、特許文献１参照。）。
そして、壁面に設けられた商品掛止用フック１０５を台紙上部に形成された吊下げ孔１０６に挿入することで、台紙１０１を商品Ｍと共に商品掛止用フック１０５吊下げる構成にしていた。
【０００３】
【特許文献１】実用新案登録第３０７９２７９号公報
【発明の開示】
【発明が解決しようとする課題】
【０００４】
しかしながら、従来の構造では、台紙１０１の前方に張り出す表示面Ｓ備えた表示体１０２が台紙１０１の下部に形成されていて、商品Ｍが台紙１０１の下端から突出した状態で陳列することができないため、縦幅の大きい商品Ｍを陳列するのが非常に困難であり、陳列する商品の大きさが台紙の大きさに比例して限定されていた。
【課題を解決するための手段】
【０００５】
本発明の特徴は、合理的な改良を以って上記の問題を解決することにある。
【発明の効果】
【０００６】
本発明の第１特徴構成は、商品陳列用台紙の表示構造に係り、その特徴は、  
複数の商品を陳列して吊下げる商品陳列用の台紙に、表示面を備えた表示体が台紙前方に張り出す状態で設けられている商品陳列用台紙の表示構造において、
前記表示体が、前記台紙の上部に設けられている点にある。
【０００７】
つまり、この構成であれば、台紙前方に張り出す状態で設けられている表示面を備えた表示体を台紙の上部を設けてあるので、商品を台紙の下端から突出させた状態で陳列することが可能で、よって、商品の大小（特に商品の縦幅の大小）に関わらず、様々な大きさの商品に対応して陳列することができる。
【０００８】
本発明の第２特徴構成は、第１特徴構成の実施において好適な構成であり、その特徴は、
前記表示体が、前記台紙の上部を折り曲げることで筒状に形成されているとともに、
前記表示体を形成する台紙の折り曲げ箇所に突出片を形成し、その突出片と表示体を形成する台紙の遊端とを重合させた状態で、台紙と連結して吊下げるための吊下げ部材の連結手段によって固定している点にある。
【０００９】
つまり、この構成であれば、台紙の上部を折り曲げて形成するだけで、表示面を備えた表示体を台紙前方に張り出した状態に設けることができ、また、台紙の折り曲げ箇所に形成した突出片と台紙の遊端とを重合させた状態で固定するのに、台紙と連結して吊下げるための吊下げ部材の連結手段を用いているので、従来のように接着剤を用いて接着固定するものに比べて、製造コストを低廉化することができる。
【００１０】
本発明の第３特徴構成は、第１特徴構成の実施において好適な構成であり、その特徴は、
前記表示体が、前記台紙とは別の部材から形成されているとともに、
前記表示体の両遊端と台紙の上端部とを重合させた状態で、台紙と連結して吊下げるための吊下げ部材の両端に設けられている連結手段によって固定している点にある。
【００１１】
つまり、この構成であれば、表示体が台紙とは別部材から形成されているので、このように台紙の前面に張り出すことで商品表示を効果的に行うことができる表示体を、台紙に対して後付けすることができる。
そして、この別部材からなる表示体を台紙に取り付けるにあたり、表示体の両遊端と台紙の上端部とを重合させた状態で、台紙と連結して吊下げるための吊下げ部材の両端に設けられている連結手段により固定するので、接着剤を用いて接着固定するものに比べて、製造コストを低廉化することができる。
【００１２】
本発明の第４特徴構成は、第１〜第３特徴構成の実施において好適な構成であり、その特徴は、
前記表示体の上面を形成する上側面状部に、前記吊下げ部材を挿通させる第１挿通孔が少なくとも１つ形成されている点にある。
【００１３】
つまり、この構成であれば、吊下げ部材を表示体の上側面状部に形成した第１挿通孔を通して吊下げ部材が台紙を吊下げることにより、台紙が前方に傾斜した姿勢になることを抑制し鉛直状態で吊下げることができるので、商品を見栄えよく陳列でき、また、商品を台紙に取り付けた長尺フックに掛止した場合でも、商品が不慮に滑り落ちたりすることを効果的に防止することができる。
【００１４】
本発明の第５特徴構成は、第４特徴構成の実施において好適な構成であり、その特徴は、
前記第１挿通孔が、表示体に切起表示部を切り起こし形成することよって現出した孔である点にある。
【００１５】
つまり、この構成であれば、第１挿通孔を形成するのに切起表示部を切り起こすことにより現出する孔を利用することで、別途、上側面状部に第１挿通孔としての孔を形成する必要がなく、また、反対に第１挿通孔を形成するのに、孔を打ち抜くのではなく切り起こすことにより、切起表示部を形成することができるので、より一層効果的な商品表示をすることができる。
【００１６】
本発明の第６特徴構成は、第１〜５特徴構成のいずれか１つの特徴構成の実施において好適な構成であり、その特徴は、
前記吊下げ部材の連結手段が、雄側挟持片と雌側挟持片とからなる二股の挟持部であるとともに、
前記表示体の後面を形成する後側面状部に、前記挟持部の雄側挟持片又は雌側挟持片を挿通させる第２挿通孔が少なくとも１つ形成されている点にある。
【００１７】
つまり、この構成であれば、吊下げ部材の挟持部の雄側挟持片又は雌側挟持片のいずれかを、表示体の後側面状部に形成された第２挿通孔に挿通させることにより、表示体の遊端と突出片、又は、表示体の両遊端と台紙の上端部とを重合させた状態の重合部をしっかりと挟持固定することができ、また、二股の挟持片からなる挟持部を備えた吊下げ部材を表示体の上側面状部に形成された第１挿通孔を挿通させるにしても、一方の挟持片を挿通させて重合部を挟持固定することができるので、台紙が前傾姿勢になることを抑制し鉛直姿勢で吊下げることができる。
【発明を実施するための最良の形態】
【００１８】
〔第１実施形態〕
図１〜図４は本願発明の第１実施形態としての商品陳列用台紙の表示構造を示し、備え付けてある複数の商品掛止具Ｈに複数の商品Ｍを列状に陳列してある台紙１の上部に、表示面Ｓを備えた台紙１の前方に張り出す筒状に折り曲げ形成された左右側面が開口している表示体２が設けられている商品陳列用台紙で、吊下げ部材である吊下げ具３と連結することにより商品販売店に吊下げ展示されるようになっていて、その吊下げ具３は、台紙１との連結手段として、その両端が嵌合凸部を備えた雄側挟持片３ａと嵌合凹部を備えた雌側挟持片３ｂとからなる挟持部３Ａを備えている。
【００１９】
表示体２は、台紙１の上部を折り曲げることで台紙１と一体的に形成されていて、図４に示すように、台紙１に形成されている４本の折り曲げ線４ａ，４ｂ，４ｃ，４ｄに沿って折り曲げることで、正面の前側面状部２Ｂに表示面Ｓを備えた角筒状の表示体２を形成している。
【００２０】
折り曲げ線４ａ，４ｂ，４ｃ，４ｄのうち、最も下に位置する第１折り曲げ線４ａの２箇所に、第１折り曲げ線４ａと第２折り曲げ線４ｂとの間に形成される表示体２の下側面状部２Ａを切り抜くように、台紙１と面一状態の鉛直面上で第１折り曲げ線４ａの位置から上方に突出する２つの突出片１Ａが形成されている。
【００２１】
表示体２において、第２折り曲げ線４ｂと第３折り曲げ線４ｃとの間に形成される前側面状部２Ｂには、第３折り曲げ線４ｃの位置から上方に前側面状部２Ｂと面一の状態で突出する第１切起表示部５Ａが、上側面状部２Ｃと後側面状部２Ｄとに亘る一部分を切り起こすことで形成されているとともに、第２折り曲げ線４ｂの位置から下方に前側面状部２Ｂと面一の状態で突出する第２切起表示部５Ｂが、下側面状部２Ａの一部分を切り起こすことで形成されている。
【００２２】
第３折り曲げ線４ｃと第４折り曲げ線４ｄとの間に形成される表示体２の上側面状部２Ｃには、上側面状部２Ｃの左右それぞれの位置に吊下げ具３を挿通させる第１挿通孔６Ａが設けられる構成になっていて、２つの第１挿通孔６Ａのうち正面視右側の第１挿通孔６Ａは、切り抜き形成されているとともに、第１切起表示部５Ａを切り起し形成することにより形成された上側面状部２Ｃと後側面状部２Ｄに亘る孔を正面視左側の第１挿通孔６Ａとして利用している。
【００２３】
第４折り曲げ線４ｄから台紙１の遊端１Ｂにかけての部分を表示体２の後側面状部２Ｄとし、その後側面状部２Ｄの上下方向中央部の左右それぞれの位置に第２挿通孔６Ｂを形成していて、それら第２挿通孔６Ｂに吊下げ具３の挟持部３Ａの雄側挟持片３ａ又は雌側挟持片３ｂのいずれか一方を挿通させるようにしている。
【００２４】
そして、台紙１の遊端１Ｂ（すなわち、表示体２の後側面状部２Ｄの遊端）と第１折り曲げ線４ａから突出する突出片１Ａとを重合させた状態で吊下げ具３の挟持部３Ａにより挟持固定するようになっていて、それら遊端１Ｂ及び突出片１Ａには、それらを重合させた状態で吊下げ具３の挟持部３Ａの雄側挟持片３ａに形成されている嵌合凸部が連通する連通孔７が形成されていて、連通孔７を連通した雄側挟持部３Ａの嵌合凸部を雌側挟持片３ｂに形成されている嵌合凹部と嵌合させて挟持する。
【００２５】
〔第２実施形態〕
図５及び図６は本願発明の第２実施形態としての商品陳列用台紙の表示構造を示し、備え付けてある複数の商品掛止具Ｈに複数の商品Ｍを列状に陳列してある台紙１の上部に、台紙１とは別部材で左右側面が開口している角筒状に折り曲げ形成された表示体２を設けて、吊下げ部材である吊下げ具３と連結することにより商品販売店に吊下げ展示されるようになっている。
【００２６】
表示体２は、下側面状部２Ａ、表示面Ｓを備えている前側面状部２Ｂ、上側面状部２Ｃ、後側面状部及び後側面状部２Ｄの遊端２ａと重合する遊端２ｂを有する遊端部２Ｅから形成されていて、前側面状部２Ｂには、上側面状部２Ｃの一部を切り起こすことで前側面状部２Ｂの上方に突出する第１切起表示部５Ａが形成されている。そして、第１切起表示部５Ａを形成したことで上側面状部２Ｃに形成された孔が吊下げ具３を挿通させる第１挿通孔６Ａとして利用される。
【００２７】
後側面状部２Ｄの上下方向中央部の左右それぞれの位置に第２挿通孔６Ｂを形成していて、それら第２挿通孔６Ｂに吊下げ具３の挟持部３Ａの雄側挟持片３ａ又は雌側挟持片３ｂのいずれか一方を挿通させるようにしている。
【００２８】
台紙１に表示体２を取り付けるのに、台紙１の上端部１ａと表示体２の両遊端２ａ，２ｂとが重合する状態で、表示体２の両遊端２ａ，２ｂに、台紙１の上端部１ａに形成されている吊下げ具挟持用孔８と連通状態になる連通孔７を形成して、吊下げ具３の挟持部３Ａの雄側挟持片３ａに形成されている嵌合凸部が台紙１の吊下げ具挟持用孔８と連通孔７とに連通して雌側挟持片３ｂに形成されている嵌合凹部と嵌合させて挟持するようになっている。
【００２９】
なお、その他の構成は、前記第１実施形態と同一であり、第１実施形態で記載した構成部分と同一構成又は同一機能を有する構成部分には同一番号を付記してそれの説明を省略する。
【００３０】
〔別実施形態〕
次に別実施形態を列記する。
【００３１】
上述の各実施形態では、表示面Ｓを備えた角筒状の表示体２が前方に張り出すように形成されているが、表示体２は前方へ張り出すものであれば、これに限るものではなく、表示体２は種々の形状（例えば、弓なり形状や多段形状）で張り出す構成であってもよい。
【００３２】
上述の各実施形態では、台紙１と連結する連結手段として、その両端に雄側挟持片３ａと雌側挟持片３ｂとからなる二股の挟持部３Ａを備えた吊下げ具３が吊下げ部材として使用されているが、本発明はこれに限るものではなく、種々の吊下げ部材を使用してもよい。
【００３３】
上述の各実施形態では、表示体２に切起表示部５Ａ，５Ｂ（第１実施形態では第１切起表示部５Ａ及び第２切起表示部５Ｂ、第２実施形態では第１切起表示部５Ａ）を設けたが、表示体２に切起表示部５Ａ，５Ｂを形成しなくてもよく、また、切起表示部５Ａ，５Ｂを形成する場合、その数や位置も任意の数、位置であってよい。
【００３４】
そして、上述の第１実施形態では、図３に示すように、第１切起表示部５Ａを形成することにより現出した上側面状部及び後側面状部に亘る孔と、上側面状部２Ｃの左右方向右寄りの位置に切り抜いた孔とを吊下げ具３を挿通させる第１挿通孔６Ａとし、上述の第２実施形態では、図６に示すように、第１切起表示部５Ａを形成することにより現出した上側面状部の孔を第１挿通孔６Ａとしたが、第１切起表示部５Ａを形成しない場合、第１挿通孔６Ａは上側面状部２Ｃに形成された１つの長孔であってもよく、また、上側面状部２Ｃの左右方向に並ぶ左右それぞれの位置に形成された孔であってもよい。
そしてまた、上側面状部２Ｃの左右の第１挿通孔６Ａが共に第１切起表示部５Ａを形成することで現出した孔であってもよい。
【００３５】
上述の各実施形態では、後側面状部２Ｄの上下方向中央部の左右それぞれの位置に第２挿通孔６Ｂを形成していたが、第２挿通孔は左右方向に延びる１つの長孔から形成されていてもよい。
【００３６】
上述の第２実施形態では、別部材からなる表示体２が、左右側面が開口している角筒状に形成されているが、左右側面を閉口する左側面状部及び右側面状部を備えた表示体であってもよい。
【図面の簡単な説明】
【００３７】
【図１】本発明の第１実施形態の商品陳列用台紙を示す展開図
【図２】完成状態にある商品陳列用台紙を示す前方斜視図
【図３】完成状態にある商品陳列用台紙を示す後方斜視図
【図４】展開状態にある商品陳列用台紙を示す後方斜視図
【図５】本発明の第２実施形態の完成状態にある商品陳列用台紙を示す前方斜視図
【図６】完成状態にある商品陳列用台紙を示す後方斜視図
【図７】従来例を示す斜視図
【図８】従来例を示す展開図
【符号の説明】
【００３８】
１        台紙
１Ａ      突出片
１ａ      上端部
１Ｂ      遊端
２        表示体
２Ｃ      上側面状部
２Ｄ      後側面状部
２ａ      遊端
２ｂ      遊端
３        吊下げ部材
３Ａ      連結手段（挟持部）
３ａ      雄側挟持片
３ｂ      雌側挟持片
４ａ      折り曲げ箇所
５Ａ      切起表示部
６Ａ      第１挿通孔
６Ｂ      第２挿通孔
【図１】
2005110863.tif 000003
【図２】
2005110863.tif 000004
【図３】
2005110863.tif 000005
【図４】
2005110863.tif 000006
【図５】
2005110863.tif 000007
【図６】
2005110863.tif 000008
【図７】
2005110863.tif 000009
【図８】
2005110863.tif 000010